(57)【要約】【課題】適切な時期に部品を発注すると共に、部品の使用限界を迎える時期を遅らせることができる湯水システムを提供すること。【解決手段】浴槽又はプールに湯水を供給すると共にその湯水の循環運転を行う湯水装置と、湯水装置が通信ネットワークを介して接続された外部サーバとを備えた湯水システムにおいて、外部サーバは、湯水装置から送信された湯水装置の運転情報に基づいて補充交換用部品を自動的に発注する自動発注機能を有し、湯水装置は、発注された補充交換用部品によって補充又は交換される部品の使用限界時期を遅らせる延命運転を実行可能に構成されている。【選択図】図１
2020067232.tif 000002
【特許請求の範囲】
【請求項１】
浴槽又はプールに湯水を供給すると共にその湯水の循環運転を行う湯水装置と、前記湯水装置が通信ネットワークを介して接続された外部サーバとを備えた湯水システムにおいて、
前記外部サーバは、前記湯水装置から送信された前記湯水装置の運転情報に基づいて補充交換用部品を自動的に発注する自動発注機能を有し、
前記湯水装置は、前記発注された補充交換用部品によって補充又は交換される部品の使用限界時期を遅らせる延命運転を実行可能に構成されたことを特徴とする湯水システム。
【請求項２】
前記外部サーバは、前記自動発注機能によって発注した補充交換用部品の納期を前記湯水装置に送信する納期回答機能を有し、
前記湯水装置は、受信した前記納期が前記循環運転を継続した場合の前記使用限界時期よりも遅くなると判定した場合に、前記延命運転を実行することを特徴とする請求項１に記載の湯水システム。
【請求項３】
前記外部サーバは、前記自動発注機能によって発注した補充交換用部品の納期が前記循環運転を継続した場合の前記使用限界時期よりも遅くなると判定した場合に、前記湯水装置に前記延命運転の実行を指令することを特徴とする請求項１に記載の湯水システム。
【請求項４】
前記湯水装置は、前記循環運転によって湯水の衛生状態を維持するための濾過手段と薬剤注入手段と、前記浴槽又はプールに上水を補水する補水手段と、これらを制御する制御手段を有し、
前記制御手段は、前記循環運転時の衛生状態を維持するように前記延命運転を制御することを特徴とする請求項２又は３に記載の湯水システム。
【請求項５】
前記外部サーバは、前記運転情報に基づいて前記薬剤注入手段の薬剤の残量が補充を必要とする所定量になった場合に補充用の薬剤をサービスショップに自動的に発注し、
前記延命運転は、前記循環運転よりも前記補水手段による補水の頻度を上げると共に前記薬剤注入手段による薬剤の注入量を減らすことを特徴とする請求項４に記載の湯水システム。
【請求項６】
前記外部サーバは、前記運転情報に基づいて前記濾過手段の交換を必要とする所定の使用時間になった場合に交換用の濾過手段をサービスショップに自動的に発注し、
前記延命運転は、前記循環運転よりも前記濾過手段の洗浄頻度を上げることを特徴とする請求項４に記載の湯水システム。
【発明の詳細な説明】
【技術分野】
【０００１】
本発明は、浴槽やプールの湯水装置を遠隔監視するように構成された湯水システムに関する。
【背景技術】
【０００２】
従来から、公衆浴場に設置された給湯装置等の製品の交換用部品は、その製品の製造期間中及び製造終了後の一定期間は入手できるように保管され、在庫管理システム等によって在庫数量や保管期限、納期等が管理されている。例えば特許文献１の在庫管理システムは、製品の修理依頼があると交換する部品の在庫を調査し、在庫があればその在庫部品を修理に使用し、在庫が不足している場合には遊休装置を調査して取り寄せ、その部品を修理に使用する。
【０００３】
ところで、公衆浴場や福祉施設、運動施設、宿泊施設等に設けられた浴場の浴槽やプールでは、その湯水を循環させて不純物の除去や殺菌を行って湯水の衛生状態を維持している。不純物の除去は、例えば濾材として細かい粒子を収容した濾過槽に湯水を通して行っている。殺菌は、例えば次亜塩素酸ナトリウム水溶液等の塩素系の薬剤を循環させる湯水に混合して行っている。
【０００４】
殺菌用の薬剤は、湯水中の遊離残留塩素濃度が条例等で定められた基準を満たすように薬剤ユニットから自動的に湯水に注入され、薬剤の残量が補充を必要とする残量になると薬剤の補充を促す報知がなされる。注入された薬剤は殺菌によって消費され、蒸発もするので、時間の経過と共に湯水中の遊離残留塩素濃度が低下する。濾過槽については、濾材が捕捉した不純物を排出して濾過能力を回復させるために、定期的に自動洗浄を実施しているが、例えば濾過槽の累計の使用時間が予め設定された使用限界に近づくと濾過槽の交換を促す報知がなされる。
【先行技術文献】
【特許文献】
【０００５】
【特許文献１】特開２０１１−１０７９３４号公報
【発明の概要】
【発明が解決しようとする課題】
【０００６】
補充や交換を促す報知がなされた薬剤や濾過槽等の部品は、例えば施設の管理者がアフターパーツを取り扱うサービスショップに発注し、納入された薬剤を補充し、納入された濾過槽に交換している。しかし、発注におけるトラブル等によって部品の使用限界になると、湯水の循環による衛生状態の維持が困難になるので、使用を中止するか、又は新鮮な湯水を供給し続けて溢れた湯水を排水する掛け流し状態で使用することになり、好ましくない。
【０００７】
例えば、薬剤の在庫がなく、納期が通常よりも遅くなる場合には、納期よりも前に薬剤を使い果たして使用限界を迎え、特許文献１のように遊休装置から取り寄せることも困難であるため、浴場等の使用ができなくなる虞がある。また、補充の報知に基づいて、人が薬剤を発注するので、報知から発注まで間が空いてしまい、納期までに薬剤を使い果たす場合もある。濾過槽についても同様に使用限界を迎える虞がある。
【０００８】
本発明の目的は、適切な時期に部品を発注すると共に、部品の使用限界時期を遅らせることができる湯水システムを提供することである。
【課題を解決するための手段】
【０００９】
請求項１の発明の湯水システムは、浴槽又はプールに湯水を供給すると共にその湯水の循環運転を行う湯水装置と、前記湯水装置が通信ネットワークを介して接続された外部サーバとを備えた湯水システムにおいて、前記外部サーバは、前記湯水装置から送信された前記湯水装置の運転情報に基づいて補充交換用部品を自動的に発注する自動発注機能を有し、前記湯水装置は、前記発注された補充交換用部品によって補充又は交換される部品の使用限界時期を遅らせる延命運転を実行可能に構成されたことを特徴としている。
【００１０】
上記構成によれば、湯水装置の運転情報に基づいて使用限界に近づいた部品の補充交換用部品を外部サーバが自動発注し、湯水装置は、補充又は交換される部品の使用限界となる使用限界時期を遅らせる延命運転が可能である。従って、適切な時期に補充交換用の部品を発注すると共に、補充又は交換される部品の使用限界時期を遅らせることができる。
【００１１】
請求項２の発明の湯水システムは、請求項１の発明において、前記外部サーバは、前記自動発注機能によって発注した補充交換用部品の納期を前記湯水装置に送信する納期回答機能を有し、前記湯水装置は、受信した前記納期が前記循環運転を継続した場合の前記使用限界時期よりも遅くなると判定した場合に、前記延命運転を実行することを特徴としている。
【００１２】
上記構成によれば、湯水装置は、自動発注された補充交換用部品の納期が補充又は交換される部品の使用限界時期よりも遅いと判定した場合に延命運転を実行する。従って、適切な時期に補充交換用の部品を発注しても納期が間に合わない緊急の場合に延命運転を行って、補充又は交換される部品の使用限界時期を遅らせることができる。
【００１３】
請求項３の発明の湯水システムは、請求項１の発明において、前記外部サーバは、前記自動発注機能によって発注した補充交換用部品の納期が前記循環運転を継続した場合の前記使用限界時期よりも遅くなると判定した場合に、前記湯水装置に前記延命運転の実行を指令することを特徴としている。
【００１４】
上記構成によれば、外部サーバは、自動発注した補充交換用部品の納期が補充又は交換される部品の使用限界時期よりも遅いと判定した場合に、湯水装置に延命運転の実行を指令する。従って、適切な時期に補充交換用の部品を発注しても納期が間に合わない緊急の場合に延命運転を行って、補充又は交換される部品の使用限界時期を遅らせることができる。
【００１５】
請求項４の発明の湯水システムは、請求項２又は３の発明において、前記湯水装置は、前記循環運転によって湯水の衛生状態を維持するための濾過手段と薬剤注入手段と、前記浴槽又はプールに上水を補水する補水手段と、これらを制御する制御手段を有し、前記制御手段は、前記循環運転時の衛生状態を維持するように前記延命運転を制御することを特徴としている。
【００１６】
上記構成によれば、湯水装置は、循環運転によって浴槽又はプールの湯水の衛生状態を維持するための濾過手段と薬剤注入手段と、補水手段と、これらを制御する制御手段を備え、制御手段は、循環運転時の衛生状態を維持するように延命運転を制御する。従って、緊急の場合の延命運転によって、湯水の衛生状態を維持しながら補充又は交換される部品の使用限界時期を遅らせることがでる。
【００１７】
請求項５の発明の湯水システムは、請求項４の発明において、前記外部サーバは、前記運転情報に基づいて前記薬剤注入手段の薬剤の残量が補充を必要とする所定量になった場合に補充用の薬剤をサービスショップに自動的に発注し、前記延命運転は、前記循環運転よりも前記補水手段による補水の頻度を上げると共に前記薬剤注入手段による薬剤の注入量を減らすことを特徴としている。
【００１８】
上記構成によれば、外部サーバは、自動発注機能によって補充用の薬剤を発注し、湯水装置は、上水を補水する頻度を上げると共に薬剤の注入量を減らす延命運転によって薬剤を使い果たす使用限界の時期を遅らせる。従って、緊急の場合の延命運転によって、薬剤の注入量を減らしたことによる湯水の遊離残留塩素濃度の低下を上水に含まれる塩素によって補って湯水の衛生状態を維持しながら、薬剤を使い果たす使用限界時期を遅らせることができる。
【００１９】
請求項６の発明の湯水システムは、請求項４の発明において、前記外部サーバは、前記運転情報に基づいて前記濾過手段の交換を必要とする所定の使用時間になった場合に交換用の濾過手段をサービスショップに自動的に発注し、前記延命運転は、前記循環運転よりも前記濾過手段の洗浄頻度を上げることを特徴としている。
【００２０】
上記構成によれば、外部サーバは、自動発注機能によって交換用の濾過手段を発注し、湯水装置は、交換する濾過手段の洗浄の頻度を上げる延命運転によって濾過手段の使用限界の時期を遅らせる。従って、緊急の場合の延命運転によって濾過手段の濾過能力を回復させて、湯水の衛生状態を維持しながら濾過手段の使用限界の時期を遅らせることができる。
【発明の効果】
【００２１】
本発明の湯水システムによれば、適切な時期に部品を発注すると共に、部品の使用限界時期を遅らせることができる。
【図面の簡単な説明】
【００２２】
【図１】本発明の実施例に係る湯水システムの構成を示す図である。
【図２】本発明の実施例に係る給湯器及び風呂熱源機の構成を示す図である。
【図３】本発明の実施例に係る浄化装置の構成を示す図である。
【発明を実施するための形態】
【００２３】
以下、本発明を実施するための形態について実施例に基づいて説明する。
【実施例】
【００２４】
図１に示すように、湯水システム１は、外部サーバ２と、外部サーバ２にインターネット等の通信ネットワーク３を介して接続された給湯装置４及び温水装置９を備え、浴槽８を備えた浴場で使用されている。外部サーバ２は、図示を省略するがＣＰＵとメモリと記憶装置等を備えたコンピュータであり、通信ネットワーク３を介して給湯装置４及び温水装置９の運転状況等を監視する遠隔監視システムにおいて運転情報等の収集、保存、分析等を行い、各種動作の指令を湯水システム１に送信する。この湯水システム１以外にも遠隔監視される複数の給湯装置等が通信ネットワーク３を介して外部サーバ２に接続されている。
【００２５】
給湯装置４は、並列に接続された複数（例えば３台）の給湯器４ａ，４ｂ，４ｃと、これら複数の給湯器４ａ〜４ｃの使用頻度を平準化するためにローテーション運転させると共に給湯使用状況に応じて連携運転させるためのシステムコントローラ５により構成されている。システムコントローラ５は通信ネットワーク３を介して外部サーバ２と通信を行い、外部サーバ２の指令に基づいて給湯装置４や温水装置９を操作する機能を備えている。
【００２６】
上水源に接続された給水配管６から複数の給湯器４ａ〜４ｃに給水通路１１が夫々延び、複数の給湯器４ａ〜４ｃから夫々延びる給湯通路１２が浴場のカラン等に給湯するための給湯配管７に接続されている。給湯配管７には複数のカラン７ａやシャワー７ｂが配設されている。例えば複数のカラン７ａから給湯が開始されて１台の給湯器では燃焼量が不足する場合には、システムコントローラ５が複数の給湯器４ａ〜４ｃを連携運転させて給湯に必要な燃焼量となるように制御する。
【００２７】
また、浴槽８に湯水を供給するための補給水ユニット７ｃ（補水手段）が配設され、補給水ユニット７ｃには給水配管６と、給湯配管７から分岐された注湯通路７ｄが接続されている。浴槽８には圧力検知式の水位センサ８ａが配設され、浴槽８が所定の水位となるように補給水ユニット７ｃから上水又は上水を給湯装置４で加熱した温水が補水される。
【００２８】
次に給湯装置４を構成する複数の給湯器４ａ〜４ｃについて説明するが、複数の給湯器４ａ〜４ｃは夫々同じ構成なので、給湯器４ａについて説明して、他の給湯器４ｂ，４ｃの説明を省略する。
図２に示すように、給湯器４ａは、燃料ガスの燃焼熱を利用して湯水を加熱するガス給湯器であり、燃料ガスと空気を混合して燃焼させる複数の燃焼管を有する燃焼量可変のバーナ１３、バーナ１３の燃焼による燃焼ガスとの熱交換により上水を加熱する熱交換器１４、中和器１５、燃焼量等を制御する制御部１６等を有する。
【００２９】
熱交換器１４は、燃焼ガスの顕熱を回収して上水を加熱する１次熱交換器１４ａと燃焼ガスの潜熱を回収して上水を加熱する２次熱交換器１４ｂを有する。上水を供給する給水通路１１が２次熱交換器１４ｂに接続され、給湯通路１２が１次熱交換器１４ａに接続され、１次熱交換器１４ａと２次熱交換器１４ｂが中間通路１４ｃにより接続されて熱交換器１４が構成されている。
【００３０】
燃焼ガスは、熱交換器１４で熱交換を終えると、給湯器４ａの外部に排気される。燃焼ガスに含まれる水蒸気の一部は、２次熱交換器１４ｂにおいて凝縮して酸性のドレン水になる。ドレン水は、ドレンパン１４ｄに集められて中和器１５に流入し、中和器１５で中和されて外部へ排出される。
【００３１】
給水通路１１には、熱交換器１４に上水を供給すると共に、熱交換器１４をバイパスするバイパス通路１７にも上水を供給するための分配比率を調整可能な分配弁１８が配設されている。また、給水通路１１には、上水の温度を検知する給水温度センサ１１ａが配設されている。
【００３２】
給湯通路１２は、熱交換器１４で加熱された湯水にバイパス通路１７の上水を混合して温度を調整した湯水を給湯配管７に供給する。給湯通路１２には、その温度調整された湯水の温度を検知する給湯温度センサ１２ａと流量を検知する流量センサ１２ｂが配設されている。
【００３３】
制御部１６は給湯器４ａの給湯運転を制御する。例えば、システムコントローラ５で設定された給湯目標温度等に応じて、給水温度センサ１１ａ等センサ類の検知信号に基づいてバーナ１３の燃焼量や分配弁１８の分配比率を調整して、給湯目標温度の湯水を供給する。給湯器４ａに何らかの異常が発生した場合には、制御部１６はその異常発生情報をシステムコントローラ５に送信する。
【００３４】
制御部１６から異常発生情報を受信したシステムコントローラ５は、その異常発生情報を外部サーバ２に送信する。外部サーバ２は、異常発生情報を送信した給湯装置４の所在地域を担当する保守拠点に、通信ネットワーク３を介して異常発生情報を送信する。そして保守担当者は、受信した異常発生情報に基づいて対応に当たる。
【００３５】
また、制御部１６は、給湯運転におけるバーナ１３の燃焼時間、燃焼回数、燃焼量等を含む給湯運転情報をシステムコントローラ５に送信する。システムコントローラ５は給湯器４ａ，４ｂ，４ｃから夫々受信した給湯運転情報を外部サーバ２に送信する。外部サーバ２はシステムコントローラ５から受信した給湯運転情報を保存する。
【００３６】
次に、浴槽８の湯水の衛生状態を維持するために湯水を循環させる循環運転を行うと共に、浴槽８の湯水の温度を維持するための加熱運転を行う温水装置９について説明する。
図１に示すように、温水装置９（湯水装置）は、浄化装置２１と薬剤ユニット２２（薬剤注入手段）と風呂熱源機２３を備えている。風呂戻り通路２４ａ及び風呂往き通路２４ｂによって浄化装置２１が浴槽８に接続されている。また、熱源機往き通路２５ａ及び熱源機戻り通路２５ｂによって風呂熱源機２３が浄化装置２１に接続されている。
【００３７】
浄化装置２１は、図３に示すように、５方弁２１ａと、大きい異物を捕捉するフィルタ２１ｂと、浴槽８の湯水を循環させるための循環ポンプ２１ｃと、浴槽８の湯水の濁り等の原因となる不純物を湯水から除去するための濾過槽２１ｄ（濾過手段）と、浴槽８の湯水を加熱するための風呂熱交換器２１ｅを備えている。濾過槽２１ｄには、図示を省略するが、例えば主として多孔性のセラミックス粒子で構成される濾材が収容されている。
【００３８】
フィルタ２１ｂと循環ポンプ２１ｃは、５方弁２１ａに接続された風呂戻り通路２４ａに配設されている。風呂熱交換器２１ｅは、５方弁２１ａから延びた風呂往き通路２４ｂに配設されている。また、５方弁２１ａから延びて濾過槽２１ｄの上部に接続された濾過往き通路２１ｆと、濾過槽２１ｄの下部から延びて５方弁２１ａに接続された濾過戻り通路２１ｇと、５方弁２１ａから外部の排水管（図示略）に延びる排水通路２１ｈが設けられている。濾過往き通路２１ｆには、薬剤ユニット２２から延びる薬剤通路２２ａが接続されている。また、浄化装置２１は、５方弁２１ａや循環ポンプ２１ｃ等を駆動して循環運転と加熱運転を制御するための循環加熱制御部２１ｉ（制御手段）等を備えている。
【００３９】
薬剤ユニット２２は、浴槽８の湯水に含まれる環境や人体に由来する細菌を殺菌するための塩素系の薬剤（例えば次亜塩素酸ナトリウム水溶液等）を収容した薬剤容器２２ｂと、循環加熱制御部２１ｉの指令に基づいて薬剤を供給する薬剤弁２２ｃ等を備えている。浴槽８の湯水中の遊離残留塩素濃度が条例等で定められた基準を満たすように、循環運転中に薬剤通路２２ａから濾過往き通路２１ｆに薬剤が供給される。図示を省略するが、薬剤ユニット２２には、例えば液面センサ等によって薬剤残量を測定する測定装置が配設され、この測定値は循環加熱制御部２１ｉに送信される。
【００４０】
循環加熱制御部２１ｉは補給水ユニット７ｃに通信可能に接続され、補給水ユニット７ｃを介して水位センサ８ａが検知した浴槽８の水位を取得する。そして、例えば浴槽８の水位が所定値を超えているときには常時、又は所定の時間間隔で断続的に循環ポンプ２１ｃを駆動して薬剤ユニット２２から殺菌用の薬剤を注入する循環運転を行う。循環運転のときの５方弁２１ａは、風呂戻り通路２４ａから供給される浴槽８の湯水を濾過往き通路２１ｆに供給すると共に、濾過槽２１ｄを通過した濾過戻り通路２１ｇからの湯水を風呂往き通路２４ｂに供給するように調整されている。
【００４１】
風呂熱源機２３は、風呂熱交換器２１ｅとの間で加熱した湯水を循環させるための例えば図２に示すような燃焼式熱源機であり、制御部２３ａと燃焼量可変のバーナ２３ｂと、燃焼ガスの顕熱及び潜熱を回収する熱交換器２３ｃと中和器２３ｄと、湯水を循環させる熱源機ポンプ２３ｅ（図１参照）等を備えている。風呂熱源機２３で加熱された湯水は、熱源機戻り通路２５ｂを流通して風呂熱交換器２１ｅで浴槽８の湯水を加熱し、熱源機往き通路２５ａを通って風呂熱源機２３に戻る。風呂熱源機２３の制御部２３ａは、循環加熱制御部２１ｉに通信可能に接続されている。
【００４２】
循環加熱制御部２１ｉは、循環運転中に例えば浄化装置２１に設けられた浴槽８の湯水の温度を検知する浴槽温度センサ２１ｊによって浴槽８の湯水の温度が所定温度よりも下がったことを検知すると、風呂熱源機２３を作動させ、風呂熱交換器２１ｅで循環する浴槽８の湯水を加熱する。そして、浴槽温度センサ２１ｊによって浴槽８の湯水の温度が所定温度以上になったことを検知すると、風呂熱源機２３を停止させる。このように浴槽８の湯水が循環しているときに、風呂熱源機２３の作動と停止を繰り返して浴槽８の湯水の温度を維持する。温水装置９に何らかの異常が発生した場合には、循環加熱制御部２１ｉはその異常発生情報をシステムコントローラ５に送信し、給湯装置４の異常発生の場合と同様に保守担当者の対応を受ける。
【００４３】
循環加熱制御部２１ｉは、循環運転時間と循環運転回数、及び風呂熱源機２３の作動時間と作動回数、薬剤ユニット２２の薬剤残量等を含む循環加熱運転情報（運転情報）をシステムコントローラ５に送信する。システムコントローラ５は受信した循環加熱運転情報を外部サーバ２に送信する。外部サーバ２はシステムコントローラ５から受信した循環加熱運転情報を保存する。
【００４４】
次に、外部サーバ２による自動発注について説明する。
外部サーバ２は、システムコントローラ５から受信した循環加熱運転情報に基づいて、アフターパーツを取り扱うサービスショップに、補充用の薬剤や交換用の濾過槽２１ｄ等の部品（補充交換用部品）を自動的に発注する自動発注機能を有する。この自動発注は、補充又は交換が必要な部品の使用限界となる前の適切な時期になされる。発注された部品の納期は、外部サーバ２に回答される。
【００４５】
この回答された納期に基づいて、補充交換対象の部品の延命運転を実行するか否か判定する。例えば、外部サーバ２がシステムコントローラ５を介して循環加熱制御部２１ｉに納期を回答する納期回答機能を有し、循環加熱制御部２１ｉは、その納期が循環加熱運転を継続した場合の補充交換対象部品の使用限界時期よりも遅くなると判定した場合に延命運転を実行する。また、外部サーバ２が、納期が循環運転を継続した場合の使用限界時期よりも遅くなると判定した場合に、システムコントローラ５を介して循環加熱制御部２１ｉに延命運転の実行を指令し、循環加熱制御部２１ｉが延命運転を実行するようにしてもよい。循環運転を継続した場合の使用限界時期は、これまでの循環加熱運転情報に基づいて循環加熱制御部２１ｉ又は外部サーバ２が予測する。
【００４６】
次に、延命運転について説明する。
温水装置９は、循環運転によって浴槽８の湯水の衛生状態を維持しており、循環運転によって衛生状態を維持できない場合には浴槽８の使用を中止するか、掛け流し状態で使用することになる。例えば、補充用の薬剤は、薬剤ユニット２２の薬剤残量が補充を必要とする所定量になると、外部サーバ２の自動発注機能によって発注されるが、在庫がない場合には通常より納期が遅くなる。その納期が、循環運転によって薬剤を使い果たす使用限界の時期よりも遅い場合には、使用限界以降は循環運転による衛生状態の維持ができなくなる。
【００４７】
このような緊急の場合に、これまでの循環運転時の衛生状態を維持できるようにするために、薬剤の延命運転を行う。この薬剤の延命運転では、浴槽８の水位を保つために水位センサ８ａの検知水位に基づいて補給水ユニット７ｃによって行われる通常の補水よりも補水の頻度を上げると共に、薬剤ユニット２２による薬剤の注入量を減らす。
【００４８】
例えば、浴槽８の排水を行うように５方弁２１ａを調整し、循環ポンプ２１ｃの駆動によって浴槽８の湯水を排水して水位を下げた後、循環運転をするように５方弁２１ａを調整し且つ下げた水位を元の水位に戻すように補給水ユニット７ｃから補水を行い、補水している間に循環運転を行って薬剤を注入することを繰り返す。補水の頻度を上げて、補水される上水に含まれている塩素によって浴槽８に一定濃度の塩素が補われるので、遊離残留塩素濃度の基準を満たすように注入する薬剤の注入量を減らすことができ、薬剤を使い果たす使用限界時期を遅らせることができる。
【００４９】
また、交換用の濾過槽２１ｄについても同様に、例えば累計の循環運転時間が濾過槽２１ｄに予め設定されている所定の使用時間になると、外部サーバ２の自動発注機能によって発注される。その納期が濾過槽２１ｄの予め設定されている所定の限界時間（使用限界）になる時期よりも遅い場合には、濾過槽２１ｄの延命運転を行う。この濾過槽２１ｄの延命運転では、例えば通常１日１回であるところ、６時間に１回のように濾過槽２１ｄの自動洗浄の頻度（洗浄頻度）を上げて濾過能力の回復を図ることによって、実質的に濾過槽２１ｄの使用限界になる時期を遅らせる。浴槽８の湯水の濁度を測定し、この濁度に基づいて濾過槽２１ｄの使用限界等が設定されるようにしてもよい。
【００５０】
濾過槽２１ｄの自動洗浄は、薬剤ユニット２２からの循環運転時の通常の注入量よりも多い量の薬剤を濾過槽２１ｄに入れて例えば５分待機する。次に、浴槽８の湯水が濾過戻り通路２１ｇから入って濾過槽２１ｄを循環運転時と逆方向に通過し、濾過往き通路２１ｆから排水通路２１ｈを通って排水されるように５方弁２１ａを調整する。そして、循環ポンプ２１ｃの駆動によって濾過槽２１ｄを循環運転時とは逆方向に流れる浴槽８の湯水と共に濾過槽２１ｄに捕捉されていた不純物を排出する。最後に、５方弁２１ａを浴槽８の湯水が濾過往き通路２１ｆから入って濾過槽２１ｄを循環運転時と同じ順方向に通過して濾過戻り通路２１ｇから排水通路２１ｈを通って排水されるように調整し、循環ポンプ２１ｃの駆動によって濾過槽２１ｄを順方向に流れる浴槽８の湯水を排水した後、循環運転を行うように５方弁２１ａを調整する。
【００５１】
本発明の作用、効果について説明する。
温水装置９の循環加熱運転情報に基づいて、使用限界に近づいた薬剤や濾過槽２１ｄ等の補充交換用部品を外部サーバ２が自動発注し、温水装置９は、補充又は交換される部品の使用限界となる使用限界時期を遅らせる延命運転の実行が可能である。従って、適切な時期に補充交換用の部品を発注することができると共に、補充又は交換される部品の使用限界を迎える時期を遅らせることができる。
【００５２】
また、温水装置９又は外部サーバ２が自動発注された補充交換用部品の納期について補充又は交換される部品の使用限界時期よりも遅いと判定した場合に、温水装置９は補充又は交換される部品の延命運転を実行する。従って、適切な時期に補充交換用の部品を発注しても納期が間に合わない緊急の場合に延命運転を行って、補充又は交換される部品の使用限界を迎える時期を遅らせることができる。
【００５３】
温水装置９は、循環運転によって浴槽８の湯水の衛生状態を維持するための濾過槽２１ｄと薬剤ユニット２２と、補給水ユニット７ｃと、これらを制御する循環加熱制御部２１ｉを備え、循環加熱制御部２１ｉは、循環運転時の衛生状態を維持するように延命運転を制御する。従って、緊急の場合の延命運転によって、湯水の衛生状態を維持しながら補充又は交換される部品の使用限界を迎える時期を遅らせることができる。
【００５４】
外部サーバ２は、自動発注機能によって補充用の薬剤を発注し、温水装置９は、上水を補水する頻度を上げると共に薬剤の注入量を減らす薬剤の延命運転によって薬剤を使い果たす使用限界の時期を遅らせる。従って、緊急の場合の延命運転によって、薬剤の注入量を減らしたことによる湯水の遊離残留塩素濃度の低下を上水に含まれる塩素によって補って湯水の衛生状態を維持しながら、薬剤を使い果たす使用限界の時期を遅らせることができる。
【００５５】
また、外部サーバ２は、自動発注機能によって交換用の濾過槽２１ｄを発注し、温水装置９は、交換する濾過槽２１ｄの洗浄の頻度を上げる濾過槽２１ｄの延命運転によって濾過槽２１ｄの使用限界の時期を遅らせる。従って、緊急の場合の延命運転によって濾過槽２１ｄの濾過能力を回復させて、湯水の衛生状態を維持しながら濾過槽２１ｄの使用限界の時期を遅らせることができる。
【００５６】
プールの場合は、浴槽８がプールに相当し、温水プールでなければ給湯装置４や風呂熱源機２３に相当するものは配設されないが、プールの水の衛生状態を維持するための循環運転を行う上記温水装置９と同様の構成の湯水装置と通信ネットワーク３を介して接続された外部サーバ２によって湯水システム１が構成される。また、浴槽８の衛生状態の維持に限らず、例えば風呂熱源機２３の中和器２３ｄの納期が遅くなる場合に、循環運転中の加熱運転機会を減らして中和器２３ｄを延命すると共に、給湯装置４からの温水の補水量を増やして、浴槽８の湯水温度の維持を図るようにすることもできる。
【００５７】
その他、当業者であれば、本発明の趣旨を逸脱することなく上記実施例に種々の変更を付加した形態で実施可能であり、本発明はそのような変更形態を包含するものである。
【符号の説明】
【００５８】
１      ：湯水システム
２      ：外部サーバ
３      ：通信ネットワーク
４      ：給湯装置
５      ：システムコントローラ
７ｃ    ：補給水ユニット（補水手段）
８      ：浴槽（プール）
９      ：温水装置（湯水装置）
２１    ：浄化装置
２１ａ  ：５方弁
２１ｃ  ：循環ポンプ
２１ｄ  ：濾過槽（濾過手段）
２１ｈ  ：排水通路
２１ｉ  ：循環加熱制御部（制御手段）
２２    ：薬剤ユニット（薬剤注入手段）
２２ａ  ：薬剤通路
２３    ：風呂熱源機
２４ａ  ：風呂戻り通路
２４ｂ  ：風呂往き通路
【図１】
2020067232.tif 000003
【図２】
2020067232.tif 000004
【図３】
2020067232.tif 000005